(57)【特許請求の範囲】
【請求項１】
紙葉類の表裏を鑑別する鑑別部と、
紙葉類を収納する収納部と、
前記鑑別部と前記収納部との間に搬送路を介して接続され、前記鑑別部で鑑別される結果に基づいて紙葉類の表裏を反転させる表裏反転部と、
前記鑑別部と搬送路を介して接続され、顧客との間で紙葉類の授受を行う入出金口と、
前記鑑別部と搬送路を介して接続され、紙葉類を一時的に保留する一時保留部と、
前記収納部に収納された紙葉類を前記鑑別部を介して前記入出金口から出金する際に、前記鑑別部で表向き又は裏向きと鑑別されたどちらか一方の紙葉類のみを前記入出金口に搬送し、該入出金口に搬送されなかった他方を前記一時保留部に保留させた後、前記表裏反転部を介して前記収納部に収納させる制御部と
を有する紙葉類自動取引装置。
【請求項２】
前記制御部は、
前記入出金口に搬送されなかった他方を前記一時保留部に保留させた後、顧客との間での紙葉類の取引が終了した後に、前記表裏反転部で表裏を反転させて前記収納部に収納させる
請求項１に記載の紙葉類自動取引装置。
【請求項３】
前記鑑別部と搬送路を介して接続され、前記収納部に前記鑑別部を介して紙葉類を補充する際、及び該収納部から前記鑑別部を介して紙葉類を回収する際に用いられる紙葉類を収納する前記紙葉類自動取引装置に対して着脱自在な補充回収部をさらに具え、
前記表裏反転部は、
前記補充回収部から前記鑑別部及び前記表裏反転部を介して前記収納部に紙葉類が収納される際に、前記鑑別部で識別される結果に基づいて紙葉類の表裏を反転させる
請求項１に記載の紙葉類自動取引装置。
【請求項４】
紙葉類の表裏を鑑別する鑑別部と、
紙葉類を収納する収納部と、
前記鑑別部と前記収納部との間に搬送路を介して接続され、前記鑑別部で鑑別される結果に基づいて紙葉類の表裏を反転させる表裏反転部と、
前記鑑別部と搬送路を介して接続され、顧客との間で紙葉類の授受を行う入出金口と、
前記鑑別部と搬送路を介して接続され、紙葉類を一時的に保留する一時保留部と、
前記入出金口に投入された紙葉類を前記鑑別部を介して前記一時保留部に搬送して保留させ、前記一時保留部に保留されている紙葉類を前記鑑別部に搬送して表裏を鑑別させた後、前記表裏反転部で表裏を揃えて前記収納部に収納させる制御部と
を有する紙葉類自動取引装置。
【発明の詳細な説明】
【技術分野】
【０００１】
本発明は、紙葉類自動取引装置に関し、例えば現金等の紙葉類を投入して所望の取引を行う現金自動取引装置（ＡＴＭ）等に適用して好適なものである。
【背景技術】
【０００２】
従来、金融機関等で使用される現金自動取引装置等においては、顧客との取引内容に応じて、例えば顧客に紙幣や硬貨等の現金を入金させ、また顧客へ現金を出金するようになされている。
【０００３】
現金自動取引装置は、例えば顧客との間で紙幣の授受を行う紙幣入出金口、投入された紙幣の金種、真偽及び表裏を鑑別する鑑別部、投入された紙幣を一時的に保留する一時保留部と、金種ごとに紙幣を格納する収納庫等を有するものが提案されている（例えば、特許文献１参照）。
【０００４】
一例として図１８に示すように、現金自動取引装置３００は、入出金口３０１、鑑別部３０２、一時保管部３０３、収納庫３０４（３０４ａ〜３０４ｄ）、補充・回収庫３０５、補充入出金部３０６、リジェクト庫３０７、取忘れ保管庫３０８が搬送路３０９を介して接続される。
【０００５】
入出金口３０１は、顧客との間で紙幣の授受を行う。鑑別部３０２は、投入された紙幣の金種、真偽及び表裏を鑑別する。一時保管部３０３は、入出金口３０１に投入された紙幣を一時的に保留する。収納庫３０４は、紙幣を金種別に収納する。
【０００６】
補充・回収庫３０５は、現金自動取引機３００に対して着脱自在に設けられ、収納庫３０４に紙幣を補充したり、収納庫３０４から紙幣の回収する際に使用される。補充入出金部３０６は、補充・回収庫３０５の紙幣を１枚ずつ分離して搬送路３０９に繰り出し、また補充・回収庫３０５へ紙幣を収納させる。
【０００７】
リジェクト庫３０７は、紙幣鑑別部３０２で取引すべきでないと鑑別された紙幣を収納する。取忘れ保管庫３０８は、取引時に入出金口３０１に搬送された紙幣が一定時間放置された際に収納しておく。
【０００８】
現金自動取引装置３００では、顧客が入出金口３０１に投入した紙幣が搬送路３０９を介して搬送され、鑑別部３０２で鑑識された後、一時保管部３０３、収納庫３０４、リジェクト庫３０７及び保管庫３０８に適宜収納される。
【０００９】
また現金自動取引装置３００では、収納庫３０４に格納された紙幣が搬送路３０９を介して搬送され、鑑別部３０２で鑑識された後、入出金口３０１から顧客に出金する。
【００１０】
さらに現金自動取引装置３００では、補充・回収庫３０５に収納された紙幣が補充入出金部３０６及び搬送路３０９を介して収納庫３０４に収納され、収納庫３０４に収納された紙幣が搬送路３０９及び補充入出金部３０６を介して補充・回収庫３０５に収納される。
【先行技術文献】
【特許文献】
【００１１】
【特許文献１】特開２０１１−２９２１公報
【発明の概要】
【発明が解決しようとする課題】
【００１２】
ところで、上述したような現金自動取引装置３００では、入出金口３０１に投入される紙幣は表裏が揃えられて投入されるわけではないので、収納庫３０４に紙幣が表裏揃うことなく収納される。
【００１３】
従って現金自動取引装置３００では、収納庫３０４に収納された紙幣を出金取引時に入出金口３０１から顧客に出金する際、紙幣の表裏が揃っていない状態で出金されることになる。
【００１４】
これを解決する方法として現金自動取引装置３００では、収納庫３０４から繰り出された紙幣の表裏を鑑別部３０２で識別し、例えば表向きと鑑別された紙幣は図１９（Ａ）の矢印３１０に示すようにそのまま入出金口３０１に搬送する。
【００１５】
これに対して鑑別部３０２で裏向きと鑑別された紙幣は図１９（Ｂ）の矢印３１１に示すように一時保留部３０３に搬送し、その後、矢印３１１に示すように入出金口３０１に搬送する。
【００１６】
これにより現金自動取引装置３００では、紙幣の表裏が揃った状態で顧客に紙幣を出金することができる。
【００１７】
しかしながらこの方法では、出金取引時に表裏を反転させる分だけ出金に時間がかかり、かくしてサービス性が低下してしまうといった問題があった。
【００１８】
本発明は以上の点を考慮してなされたもので、サービス性を向上し得る紙葉類自動取引装置を提案しようとするものである。
【課題を解決するための手段】
【００１９】
かかる課題を解決するため本発明は、紙葉類の表裏を鑑別する鑑別部と、紙葉類を収納する収納部と、前記鑑別部と前記収納部との間に搬送路を介して接続され、前記鑑別部で鑑別される結果に基づいて紙葉類の表裏を反転させる表裏反転部と、前記鑑別部と搬送路を介して接続され、顧客との間で紙葉類の授受を行う入出金口と、前記鑑別部と搬送路を介して接続され、紙葉類を一時的に保留する一時保留部と、前記収納部に収納された紙葉類を前記鑑別部を介して前記入出金口から出金する際に、前記鑑別部で表向き又は裏向きと鑑別されたどちらか一方の紙葉類のみを前記入出金口に搬送し、該入出金口に搬送されなかった他方を前記一時保留部に保留させた後、前記表裏反転部を介して前記収納部に収納させる制御部とを有する。これにより、鑑別部から収納部に紙幣が搬送される際に鑑別部で鑑別した結果に応じて紙葉類の表裏を反転させ、表裏を揃えて紙幣を収納部に収納することができるので、出金取引時以外の時にも紙幣の表裏を揃えることができる。
【００２０】
また本発明は、紙葉類の表裏を鑑別する鑑別部と、紙葉類を収納する収納部と、前記鑑別部と前記収納部との間に搬送路を介して接続され、前記鑑別部で鑑別される結果に基づいて紙葉類の表裏を反転させる表裏反転部と、前記鑑別部と搬送路を介して接続され、顧客との間で紙葉類の授受を行う入出金口と、前記鑑別部と搬送路を介して接続され、紙葉類を一時的に保留する一時保留部と、前記入出金口に投入された紙葉類を前記鑑別部を介して前記一時保留部に搬送して保留させ、前記一時保留部に保留されている紙葉類を前記鑑別部に搬送して表裏を鑑別させた後、前記表裏反転部で表裏を揃えて前記収納部に収納させる制御部とを有する。これにより、鑑別部から収納部に紙幣が搬送される際に鑑別部で鑑別した結果に応じて紙葉類の表裏を反転させ、表裏を揃えて紙幣を収納部に収納することができるので、入金取引時以外の時にも紙幣の表裏を揃えることができる。
【発明の効果】
【００２１】
本発明によれば、鑑別部から収納部に紙幣が搬送される際に鑑別部で鑑別した結果に応じて紙葉類の表裏を反転させ、表裏を揃えて紙幣を収納部に収納することができるので、取引時以外の時にも紙幣の表裏を揃えることができ、かくして取引時に表裏を反転させない分だけ短時間で入出金でき、サービス性を向上することができる。
【図面の簡単な説明】
【００２２】
【図１】第１の実施の形態における現金自動取引装置の構成を示す略線図である。
【図２】現金自動取引装置の制御系の構成を示す略線図である。
【図３】第１の実施の形態における入金処理時の紙幣搬送を示す略線図である。
【図４】第１の実施の形態における入金取消時の紙幣搬送を示す略線図である。
【図５】第１の実施の形態における入金処理時の紙幣表裏反転搬送を示す略線図である。
【図６】第１の実施の形態における補充処理時の紙幣表裏反転搬送を示す略線図である。
【図７】第１の実施の形態における出金処理時の紙幣搬送を示す略線図である。
【図８】第２の実施の形態における現金自動取引装置の構成を示す略線図である。
【図９】第２の実施の形態における入金処理時の紙幣搬送を示す略線図である。
【図１０】第２の実施の形態における補充処理時の紙幣搬送を示す略線図である。
【図１１】第２の実施の形態における出金処理時の紙幣搬送を示す略線図である。
【図１２】第２の実施の形態における出金処理時の紙幣表裏反転搬送を示す略線図である。
【図１３】第３の実施の形態における現金自動取引装置の構成を示す略線図である。
【図１４】第３の実施の形態における入金処理時の紙幣搬送を示す略線図である。
【図１５】第３の実施の形態における入金処理終了時の紙幣搬送を示す略線図である。
【図１６】第３の実施の形態における補充処理時の紙幣搬送を示す略線図である。
【図１７】第３の実施の形態における出金処理時の紙幣表裏反転搬送を示す略線図である。
【図１８】従来の現金自動取引装置の構成を示す略線図である。
【図１９】従来の紙幣表裏反転搬送を示す略線図である。
【発明を実施するための形態】
【００２３】
以下に、図面について、本発明の一実施の形態を詳述する。
〔１．第１の実施の形態〕
［１−１．現金自動取引装置の全体構成］
まず第１の実施の形態について説明する。図１に、第１の実施の形態における現金自動取引装置１の全体構成の断面概略図を示す。現金自動取引装置１は、入出金口１１、鑑別部１２、一時保留部１３、収納庫１４（１４ａ〜１４ｄ）、補充・回収庫１５、補充入金部１６、リジェクト庫１７、取忘れ保管庫１８、表裏反転部１９、これら各部（１１〜１９）を接続する複数の搬送路２０（２０ａ〜２０ｉ）を含む構成とされる。
【００２４】
入出金口１１は、顧客との間で紙幣の授受を行う。鑑別部１２は、投入された紙幣の金種、真偽及び表裏を例えば画像処理や磁気判別等により鑑別する。一時保管部１３は、入出金口１１に投入された紙幣を一時的に保留する。収納庫１４は、現金自動取引機１に対して固定されており、紙幣を金種別に収納する。
【００２５】
補充・回収庫１５は、現金自動取引機１に対して着脱自在に設けられ、収納庫１４に紙幣を補充したり、収納庫１４から紙幣の回収する際に使用される紙幣を収納する庫であり、銀行員等によって紙幣が出し入れされる。補充入出金部１６は、補充・回収庫１５の紙幣を１枚ずつ分離して搬送路２０に繰り出し、また補充・回収庫１５へ紙幣を収納させる。
【００２６】
リジェクト庫１７は、鑑別部１２で取引すべきでないと鑑別された紙幣を収納する。取忘れ保管庫１８は、取引時に入出金口１１に搬送された紙幣が一定時間放置された際に収納しておく。
【００２７】
表裏反転部１９は、鑑別部１２と紙幣収納部１４、補充・回収庫１５、補充入金部１６、リジェクト庫１７及び取忘れ保管庫１８との間に設けられ、詳しくは後述するように、鑑別部１２で鑑別された紙幣の内、例えば表向きと鑑別された紙幣をそのまま搬送させ、裏向きと鑑別された紙幣の表裏を反転させて搬送させる所謂スイッチバック式の表裏反転機構により構成される。
【００２８】
搬送路２０ａは、一端が入出金口１１に接続され、他端が搬送路２０ｂ及び２０ｆの一端と分岐部を介して接続される。
【００２９】
搬送路２０ｂは、搬送路２０ａ及び２０ｆと接続された一端とは反対側の他端が、搬送路２０ｃ及び２０ｅの一端と分岐部を介して接続される。なお鑑別部１２は搬送路２０ｂ上に設けられる。
【００３０】
搬送路２０ｃは、搬送路２０ｂ及び２０ｅと接続された一端とは反対側の他端が、搬送路２０ｄ及び２０ｈの一端と分岐部を介して接続される。搬送路２０ｄは、搬送路２０ｃ及び２０ｈと接続された一端とは反対側の他端が一時保留部１３と接続される。
【００３１】
搬送路２０ｅは、搬送路２０ｂ及び２０ｃと接続された一端とは反対側の他端が入出金口１１と接続される。搬送路２０ｆは、搬送路２０ａ及び２０ｂと接続された一端とは反対側の他端が表裏反転部１９（搬送路３１ａ及び３１ｂ）と接続される。
【００３２】
表裏反転部１９は、搬送路３１ａ〜３１ｄ、及び分岐部３２ａ〜３２ｃを含む構成とされる。
【００３３】
なお搬送路２０及び３１は、ローラ及びベルト等により構成され、紙幣を２本のベルトにより上下方向から挟んで、ローラを回転させてベルトを移動させることにより紙幣を搬送する。また図示しない分岐部及び分岐部３２は、切替えブレード（例えば、特開２００８−１５０１７３号公報参照）等が適応される。
【００３４】
搬送路３１ａは、搬送路２０ｆにおける搬送路２０ａ及び２０ｂと接続された一端とは反対側の他端及び搬送路３１ｂの一端と分岐部３２ａを介して一端が接続される。搬送路３１ａの他端は、搬送路２０ｇの一端及び搬送路３１ｄの一端と分岐部３２ｂを介して接続される。
【００３５】
搬送路３１ｂは、搬送路２０ｆ及び３１ａと接続された一端とは反対側の他端が、搬送路３１ｄにおける搬送路３１ｂ及び２０ｇと接続された一端とは反対側の他端、及び搬送路３１ｃの一端が接続される。
【００３６】
搬送路３１ｃは、紙幣の全てが収まる長さを有しており、搬送路３１ｂ及３１ｃと接続される一端とは反対側の他端が閉端となっている。
【００３７】
搬送路２０ｇは、表裏反転部１９（搬送路３１ａ及び搬送路３１ｄ）と接続された一端とは反対側の他端が収納庫１４、補充・回収庫１５、リジェクト庫１７、取忘れ保管庫１８と接続される。
【００３８】
搬送路２０ｈは、搬送路２０ｃ及び２０ｄと接続された一端とは反対側の他端が補充入金部１６と接続される。搬送路２０ｉは、搬送路２０ｇの途中に設けられる分岐部及び搬送路２０ｈの途中に設けられる分岐部を接続するように設けられる。
【００３９】
上述した搬送路２０及び３１のうち搬送路２０ａ〜２０ｈ及び搬送路３１ａ、３１ｃは双方向に紙幣を搬送することができる双方向搬送路である。これに対して、搬送路３１ｂは、分岐部３２ａ側から分岐部３２ｃ側へのみ紙幣を搬送できる一方向搬送路である。また搬送路３１ｄは、分岐部３２ｃ側から分岐部３２ｂ側へのみ紙幣を搬送できる一方向搬送路である。
【００４０】
従って表裏反転部１９は、搬送路２０ｆを通って搬送される紙幣を分岐部３２ａで搬送路３１ａへ搬送させ、分岐部３２ｂで搬送路２０ｇに搬送させることにより、搬送路２０ｆを通って搬送される紙幣の表裏を反転させることなく搬送路２０ｇに搬送する。
【００４１】
一方、表裏反転部１９は、搬送路２０ｆを通って搬送される紙幣を分岐部３２ａで搬送路３１ｂへ搬送させ、分岐部３２ｃで搬送路３１ｃへ搬送させる。そして紙幣の全てを搬送路３１ｃ内に搬送させた後、分岐部３２ｃを切り替えて搬送路３１ｄへ紙幣を搬送させ、分岐部３２ｂで搬送路２０ｇへ搬送させることにより、搬送路２０ｆを通って搬送される紙幣の表裏を反転させて搬送路２０ｇに搬送する。
【００４２】
これに対して表裏反転部１９は、搬送路３１ｂ及び３１ｄが一方向搬送路であるため、搬送路２０ｇから搬送される紙幣の表裏を反転させて搬送路２０ｆに搬送することはできない。
【００４３】
このように表裏反転部１９は、搬送路２０ｆから搬送される紙幣のみ表裏を反転することができ、搬送路２０ｇから搬送される紙幣の表裏を反転することができない一方向の表裏反転機構である。
【００４４】
現金自動取引装置１は、図２に示すように、制御部２１が各部（１１〜２０、２２）を統轄制御する。制御部２１は、ＣＰＵ（Central Processing Unit）、ＲＯＭ（Read Only Memory）、ＲＡＭ（Random Access Memory）等を含むコンピュータ構成とされ、ＲＯＭから読み出したプログラムをＲＡＭに展開して実行することにより、各部（１１〜２０、２２）を制御して後述する入金処理、補充処理、出金処理等の各種処理を実行する。
【００４５】
また現金自動取引装置１は、例えばタッチパネルやボタン等でなる操作入力部２２が設けられており、該操作入力部２２により顧客の操作を受け付ける。
【００４６】
［１−２．入金処理］
次に入金処理について説明する。制御部２１は、操作入力部２２に対する顧客操作により入金する操作が選択されると、ＲＯＭから読み出した入金処理プログラムをＲＡＭに展開して実行することにより、各部を制御して入金処理を実行する。
【００４７】
制御部２１は、顧客により入出金口１１に投入された紙幣を１枚ずつ分離されて搬送路２０ａを介して搬送路２０ｂに搬送させる。
【００４８】
制御部２１は、搬送路２０ｂにおいて鑑別部１２を通過する紙幣の金種、真偽及び表裏を該鑑別部１２で鑑別させ、正常判別された紙幣を搬送路２０ｃ及び２０ｄを介して一時保留部１３に一時的に保留させる（図３（Ａ）、矢印４１）。
【００４９】
一方、制御部２１は、正常判別されなかった紙幣を搬送路２０ｅを介して入出金口１１に搬送させて顧客に返却する（図３（Ａ）、矢印４２）。
【００５０】
操作入力部２２に対する顧客操作により入金が取り消された場合、一時保留部１３に保留された紙幣は、搬送路２０ｄ、２０ｃ及び２０ｅを介して入出金口１１に搬送されて顧客に返却される（図４、矢印４３）。
【００５１】
その後入金金額が確定すると制御部２１は、一時保留部１３に保留された紙幣を、搬送路２０ｄ、２０ｅ及び２０ｂを順に搬送させ、再び鑑別部１２で紙幣の金種、真偽及び表裏を鑑別させた後、搬送路２０ｆを介して表裏反転部１９に搬送させる。
【００５２】
表裏反転部１９は、鑑別部１２で鑑定された紙幣が例えば表向きであると鑑別された場合、図５（Ａ）の矢印４４に示すように、搬送路２０ｆを介して搬送された紙幣を分岐部３２ａで搬送路３１ａへ搬送させ、分岐部３２ｂで搬送路２０ｇに搬送させる。すなわち表裏反転部１９は、紙幣の表裏を反転させることなく搬送路２０ｇにその紙幣を搬送する。
【００５３】
表裏反転部１９を通過した紙幣は、搬送路２０ｇを搬送されて鑑別部１２で鑑別された金種に応じた収納庫１４のいずれかに収納される。
【００５４】
一方、鑑別部１２で鑑定された紙幣が例えば裏向きであると鑑別された場合、表裏反転部１９は、図５（Ｂ）の矢印４５に示すように、搬送路２０ｆを通って搬送される紙幣を分岐部３２ａで搬送路３１ｂへ搬送させ、分岐部３２ｃで搬送路３１ｃへ搬送させる。
【００５５】
そして表裏反転部１９は、その紙幣の全てを搬送路３１ｃ内に搬送させた後、分岐部３２ｃを切り替えて搬送路３１ｄに紙幣を搬送させ、分岐部３２ｂで搬送路２０ｇに搬送させる。すなわち表裏反転部１９は、搬送路２０ｆを通って搬送される紙幣の表裏を反転させて搬送路２０ｇに搬送する。
【００５６】
表裏反転部１９を通過した紙幣は、搬送路２０ｇを搬送されて鑑別部１２で鑑別された金種に応じた収納庫１４のいずれかに収納される。
【００５７】
従って現金自動取引装置１では、収納庫１４に表裏が揃った状態で紙幣を収納することができる。
【００５８】
［１−３．補充処理］
次に収納庫１４に紙幣を補充する補充処理について説明する。制御部２１は、操作入力部２２に対する銀行員等の操作により補充する操作が選択されると、ＲＯＭから読み出した補充処理プログラムをＲＡＭに展開して実行することにより、各部を制御して補充処理を実行する。
【００５９】
制御部２１は、銀行員等によって補充・回収庫１５に手詰めされた紙幣を、補充入金部１６により１枚ずつ分離されて搬送路２０ｈ及び２０ｃを介して搬送路２０ｂに搬送させる。なお補充・回収庫１５に入れられる紙幣は、銀行員等が手詰めするため、表裏が揃えられることなく入れられる場合もある。
【００６０】
制御部２１は、搬送路２０ｂにおいて鑑別部１２を通過する紙幣の金種、真偽及び表裏を該鑑別部１２で鑑別させ、搬送路２０ｆを介して表裏反転部１９に搬送させる。
【００６１】
表裏反転部１９は、鑑別部１２で鑑定された紙幣が例えば表向きであると鑑別された場合、図６（Ａ）の矢印４６で示すように、搬送路２０ｆを介して搬送された紙幣を分岐部３２ａで搬送路３１ａへ搬送させ、分岐部３２ｂで搬送路２０ｇに搬送させる。表裏反転部１９を通過した紙幣は、搬送路２０ｇを搬送されて鑑別部１２で鑑別された金種に応じた収納庫１４のいずれかに収納される。
【００６２】
一方、表裏反転部１９は、鑑別部１２で鑑定された紙幣が例えば裏向きであると鑑別された場合、図６（Ｂ）の矢印４７で示すように、搬送路２０ｆを通って搬送される紙幣を分岐部３２ａで搬送路３１ｂへ搬送させ、分岐部３２ｃで搬送路３１ｃへ搬送させる。
【００６３】
そして表裏反転部１９は、その紙幣の全てを搬送路３１ｃ内に搬送させた後、分岐部３２ｃを切り替えて搬送路３１ｄに紙幣を搬送させ、分岐部３２ｂで搬送路２０ｇに搬送させる。表裏反転部１９を通過した紙幣は、搬送路２０ｇを搬送されて鑑別部１２で鑑別された金種に応じた収納庫１４のいずれかに収納される。
【００６４】
従って現金自動取引装置１では、表裏が揃っていない状態で補充・回収庫１５に入れられた紙幣を収納庫１４に表裏が揃った状態で収納することができる。
【００６５】
［１−４．出金処理］
次に出金処理について説明する。制御部２１は、操作入力部２２に対する顧客操作により出金する操作が選択されると、ＲＯＭから読み出した出金処理プログラムをＲＡＭに展開して実行することにより、各部制御して出金処理を実行する。
【００６６】
制御部２１は、図７の矢印４６で示すように、顧客操作に応じて出金すべき紙幣が決定されると、収納庫１４から紙幣を１枚ずつ分離して搬送路２０ｇ、３１ａ及び２０ｂを介して搬送させる。
【００６７】
制御部２１は、搬送路２０ｂにおいて鑑別部１２を通過する紙幣の金種、真偽及び表裏を該鑑別部１２で鑑別させ、正常判別された紙幣を搬送路２０ｅを介して入出金口１１に集積させる。
【００６８】
このとき、上述したように現金自動取引装置１では、入金処理及び補充処理で収納庫１４に紙幣の表裏が揃えられて収納されるので、収納庫１４に収納された紙幣を出金する際に、入出金口１１から紙幣を表裏が揃っている状態で出金させることができる。
【００６９】
［１−５．効果等］
以上の構成において現金自動取引装置１は、鑑別部１２と収納庫１４との間に表裏反転部１９が設けられ、入金処理及び補充処理の際に紙幣の表裏を表裏反転部１９で揃えて収納庫１４に紙幣を収納するようにした。
【００７０】
これにより現金自動取引装置１は、出金取引時に紙幣の表裏を反転させなくて済むので、その分だけ短時間で紙幣の表裏を揃えて出金することができ、かくして顧客に対するサービス性を向上することができる。
【００７１】
また現金自動取引装置１は、補充処理においても表裏反転部１９で紙幣の表裏を揃えて収納庫１４に紙幣を収納することができるので、補充・回収庫１５に紙幣の表裏を揃えて詰めさせる必要がなく、かくして補充・回収庫１５に紙幣を詰める者に対するサービス性も向上することができる。
【００７２】
また現金自動取引装置１は、一時保留部１３から収納庫１４までの搬送路のうち、搬送路２０ｃ、２０ｂ、２０ｇ及び表裏反転部１９を、補充・回収部１５から収納庫１４までの搬送路と共有しているので、一時保留部１３から収納庫１４までの搬送路上、及び補充・回収部１５から収納庫１４までの搬送路上に表裏反転部をそれぞれ設けなくて済む分、装置を簡易な構成にすることができる。
【００７３】
〔２．第２の実施の形態〕
［２−１．現金自動取引装置の全体構成］
図１との対応部分に同一符号を付した図８に示すように、第２の実施の形態における現金自動取引装置１００は、第１の実施の形態における現金自動取引装置１に固定された収納庫１４に代えて、現金自動取引装置１００に対して着脱自在の収納庫１１４（１１４ａ〜１１４ｄ）が設けられる。
【００７４】
すなわち収納庫１１４には、現金自動取引装置１００から取り外されて銀行員等が手詰めで紙幣を挿入されることもあり、紙幣の表裏が常に揃って格納されるわけではない。
【００７５】
従って現金自動取引装置１００は、第１の実施の形態の現金自動取引装置１のように入金処理時及び補充処理時に紙幣の表裏を揃えて収納庫１４に収納すれば出金取引時に紙幣の表裏が揃って出金されるわけではない。
【００７６】
そこで現金自動取引装置１００は、詳しくは後述するように、出金処理において顧客との間で出金取引が終了した後に紙幣の表裏を反転して収納庫１１４に紙幣の表裏を揃えて収納する。
【００７７】
［２−２．入金処理］
まず入金処理について説明する。制御部２１は、操作入力部２２に対する顧客操作により入金する操作が選択されると、ＲＯＭから読み出した入金処理プログラムをＲＡＭに展開して実行することにより、各部（１１〜１３、１５〜２０、２２、１１４）を制御して入金処理を実行する。
【００７８】
制御部２１は、顧客により入出金口１１に投入された紙幣を１枚ずつ分離されて搬送路２０ａを介して搬送路２０ｂに搬送させる。
【００７９】
制御部２１は、搬送路２０ｂにおいて鑑別部１２を通過する紙幣の金種、真偽及び表裏を該鑑別部１２で鑑別させ、正常判別された紙幣を搬送路２０ｃ及び２０ｄを介して一時保留部１３に一時的に保留させる（図９（Ａ）、矢印１０１）。
【００８０】
一方、制御部２１は、正常判別されなかった紙幣を搬送路２０ｅを介して入出金口１１に搬送させて顧客に返却する（図９（Ａ）、矢印１０２）。
【００８１】
操作入力部２２に対する顧客操作により入金が取り消された場合、制御部２１は、一時保留部１３に保留された紙幣を搬送路２０ｄ、２０ｃ及び２０ｅを介して入出金口１１に搬送させて顧客に返却する（図９（Ａ）、矢印１０３）。
【００８２】
操作入力部２２に対する顧客の操作に応じて入金金額が確定すると、制御部２１は、一時保留部１３に保留された紙幣を搬送路２０ｄ、２０ｅ及び２０ｂを順に搬送させ、再び鑑別部１２で紙幣の金種、真偽及び表裏を鑑別させた後、搬送路２０ｆ、表裏反転部１９の搬送路３１ａ、及び搬送路２０ｇを介して収納庫１４に収納させる（図９（Ｂ）、矢印１０４）。
【００８３】
このように現金自動取引装置１００では、入金処理において紙幣の表裏を揃えることなく収納庫１１４に紙幣を収納する。
【００８４】
［２−３．補充処理］
次に収納庫１１４に紙幣を補充する補充処理について説明する。制御部２１は、操作入力部２２に対する銀行員等の操作により補充する操作が選択されると、ＲＯＭから読み出した補充処理プログラムをＲＡＭに展開して実行することにより、各部（１１〜１３、１５〜２０、２２、１１４）を制御して補充処理を実行する。
【００８５】
制御部２１は、銀行員等によって補充・回収庫１５に手詰めされた紙幣を、補充入金部１６により１枚ずつ分離されて搬送路２０ｈ、２０ｃ及び２０ｂを介して搬送させる。
【００８６】
そして制御部２１は、搬送路２０ｂにおいて鑑別部１２を通過する紙幣の金種、真偽及び表裏を該鑑別部１２で鑑別させ、搬送路２０ｆ、表裏反転部１９の搬送路３１ａ及び搬送路２０ｇを介して鑑別部１２で鑑別された金種に応じた収納庫１４のいずれかに収納させる（図１０、矢印１０５）。
【００８７】
このように現金自動取引装置１００では、補充処理において紙幣の表裏を揃えることなく収納庫１１４に紙幣を収納する。
【００８８】
［２−４．出金処理］
次に出金処理について説明する。制御部２１は、操作入力部２２に対する顧客操作により出金する操作が選択されると、ＲＯＭから読み出した出金処理プログラムをＲＡＭに展開して実行することにより、各部（１１〜１３、１５〜２０、２２、１１４）を制御して出金処理を実行する。
【００８９】
制御部２１は、顧客操作に応じて出金すべき紙幣が決定されると、収納庫１１４から紙幣を１枚ずつ分離して搬送路２０ｇ、３１ａ及び２０ｂを介して搬送させる。
【００９０】
制御部２１は、搬送路２０ｂにおいて鑑別部１２を通過する紙幣の金種、真偽及び表裏を該鑑別部１２で鑑別させ、正常でかつ例えば表向きであると鑑別された紙幣を図１１の矢印１０６で示すように搬送路２０ｅを介して入出金口１１に集積させる。
【００９１】
一方、制御部２１は、鑑別部１２で正常でかつ例えば裏向きであると鑑別された紙幣を、図１２（Ａ）の矢印１０７に示すように、搬送路２０ｃ及び２０ｄを介して一時保留部１３に保留させる。
【００９２】
制御部２１は、正常でかつ例えば表向きであり入出金口１１に集積される紙幣が顧客操作に応じて出金すべき金額と同一となるまで、正常でかつ表向きである紙幣を入出金口１１に集積させ、正常でかつ裏向きである紙幣を一時保留部１３に保留させる。
【００９３】
そして制御部２１は、顧客との出金取引が終了した後、一時保留部１３に保留させた紙幣を、図１２（Ｂ）の矢印１０８に示すように、搬送路２０ｄ、２０ｅ及び２０ｂを順に搬送させ、再び鑑別部１２で紙幣の金種、真偽及び表裏が鑑別させ、搬送路２０ｆを介して表裏反転部１９に搬送させる。このとき鑑別部１２では全ての紙幣が裏向きとして鑑別される。
【００９４】
表裏反転部１９は、鑑別部１２で紙幣が裏向きであると鑑別されるので、搬送路２０ｆを通って搬送される紙幣を分岐部３２ａで搬送路３１ｂへ搬送させ、分岐部３２ｃで搬送路３１ｃへ搬送させる。
【００９５】
そして表裏反転部１９は、その紙幣の全てを搬送路３１ｃ内に搬送させた後、分岐部３２ｃを切り替えて搬送路３１ｄに紙幣を搬送させ、分岐部３２ｂで搬送路２０ｇに搬送させる。すなわち表裏反転部１９は、搬送路２０ｆを通って搬送される紙幣の表裏を反転させて搬送路２０ｇに搬送する。
【００９６】
表裏反転部１９を通過した紙幣は、搬送路２０ｇを搬送されて鑑別部１２で鑑別された金種に応じた収納庫１１４のいずれかに収納される。
【００９７】
このように現金自動取引装置１００は、出金処理において、表向きと鑑別された紙幣を入出金口１１に搬送して顧客に出金し、裏向きと鑑別された紙幣を一時保留部１３に一時的に保留して出金取引終了後に表裏反転部１９で表裏を反転させて収納庫１４に収納する。
【００９８】
［２−５．効果等］
以上の構成において現金自動取引装置１００は、鑑別部１２と現金自動取引装置１００に対して着脱自在に設けられる収納庫１１４との間に表裏反転部１９が設けられる。
【００９９】
現金自動取引装置１００は、出金処理において、鑑別部１２で表向きと鑑別された紙幣を入出金口１１に搬送して顧客に出金し、裏向きと鑑別された紙幣を一時保留部１３に一時的に保留して出金取引終了後に表裏反転部１９で表裏を反転させて収納庫１４に収納する。
【０１００】
これにより現金自動取引装置１００は、出金処理で表向きと鑑別された紙幣だけを顧客に出金するので、出金取引時に表裏を反転させることがない分だけ短時間で紙幣の表裏を揃えて出金することができ、かくして顧客に対するサービス性を向上することができる。
【０１０１】
また現金自動取引装置１００は、出金処理において裏向きと鑑別された紙幣を一時保留部１３に一時的に保留して、出金取引終了後に表裏反転部１９で紙幣の表裏を反転させて収納庫１１４に収納するので、収納庫１１４には紙幣の表裏が揃っている状態で収納することができる。
【０１０２】
従って現金自動取引装置１００は、次に出金処理を実行する際には表裏が揃っている状態で収納された紙幣を収納庫１１４から出金することができ、さらに短時間で紙幣の表裏を揃えて出金することができ、かくして顧客に対するサービス性を向上することができる。
【０１０３】
また現金自動取引装置１００は、収納庫１１４に紙幣の表裏を揃えて詰めさせる必要がなく、また補充・回収庫１５に紙幣を揃えて詰めさせる必要がなく、かくして紙幣を詰める者に対するサービス性も向上することができる。
【０１０４】
〔３．第３の実施の形態〕
［３−１．現金自動取引装置の全体構成］
図１及び図８との対応部分に同一符号を付した図１３に示すように、第３の実施の形態における現金自動取引装置２００は、第２の実施の形態における現金自動取引装置１００と同様に現金自動取引装置２００に対して着脱自在の収納庫１１４（１１４ａ〜１１４ｄ）が設けられる。
【０１０５】
また現金自動取引装置２００は、第１及び第２の実施の形態における現金自動取引装置１及び１００と比較して、表裏反転部２１９が設けられる位置が異なる。
【０１０６】
具体的には、表裏反転部２１９は、入出金口１１と一時保留部１３及び鑑別部１２との間に設けられる。表裏反転部２１９は、第１及び第２の実施の形態における表裏反転部１９と同様に構成され、一時保留部１３又は鑑別部１２から入出金口１１へ紙幣が搬送される際にだけ紙幣の表裏を反転できる一方向のスイッチバック式の表裏反転機構である。
【０１０７】
搬送路２２０ａは、一端が入出金口１１に接続され、他端が搬送路２２０ｂ及び２２０ｇの一端と分岐部を介して接続される。
【０１０８】
搬送路２２０ｂは、搬送路２２０ａ及び２２０ｇと接続された一端とは反対側の他端が、搬送路２２０ｃ及び２２０ｅの一端と分岐部を介して接続される。なお鑑別部１２は搬送路２２０ｂ上に設けられる。
【０１０９】
搬送路２２０ｃは、搬送路２２０ｂ及び２２０ｅと接続された一端とは反対側の他端が、搬送路２２０ｄ及び２２０ｈの一端と分岐部を介して接続される。搬送路２２０ｄは、搬送路２２０ｃ及び２２０ｈと接続された一端とは反対側の他端が一時保留部１３と接続される。
【０１１０】
搬送路２２０ｅは、搬送路２２０ｂ及び２２０ｃと接続された一端とは反対側の他端が表裏反転部２１９と接続される。表裏反転部２１９は、搬送路２２０ｅから内部の搬送路を介して一端が入出金口１１に接続された搬送路２２０ｆの他端が接続される。
【０１１１】
ところで現金自動取引装置２００は、第２の実施の形態における現金自動取引装置１００と同様に、収納庫１１４が現金自動取引装置２００から取り外されて銀行員等が手詰めで紙幣を挿入されることもあり、紙幣の表裏が常に揃って格納されるわけではない。
【０１１２】
そこで現金自動取引装置２００は、詳しくは後述するように、出金処理において紙幣の表裏を反転して紙幣の表裏を揃えて出金する。
【０１１３】
［３−２．入金処理］
まず入金処理について説明する。制御部２１は、操作入力部２２に対する顧客操作により入金する操作が選択されると、ＲＯＭから読み出した入金処理プログラムをＲＡＭに展開して実行することにより、各部（１１〜１３、１５〜１８、２２、１１４、２１９）を制御して入金処理を実行する。
【０１１４】
制御部２１は、入金時に顧客により入出金口１１に投入された紙幣を１枚ずつ分離されて搬送路２２０ａを介して搬送路２０ｂに搬送させる。
【０１１５】
制御部２１は、搬送路２００ｂにおいて鑑別部１２を通過する紙幣の金種、真偽及び表裏を該鑑別部１２で鑑別させ、正常判別された紙幣を搬送路２２０ｃ及び２２０ｄを介して一時保留部１３に一時的に保留させる（図１４、矢印２０１）。
【０１１６】
一方、制御部２１は、正常判別されなかった紙幣を搬送路２２０ｅ、表裏反転部２１９及び搬送路２２０ｆを介して入出金口１１に搬送させて顧客に返却する（図１４、矢印２０２）。
【０１１７】
操作入力部２２に対する顧客操作により入金が取り消された場合、制御部２１は、一時保留部１３に保留された紙幣を搬送路２２０ｄ、２２０ｃ、２２０ｅ、表裏反転部２１９及び搬送路２２０ｆを介して入出金口１１に搬送させて顧客に返却する（図１４、矢印２０３）。
【０１１８】
操作入力部２２に対する顧客の操作に応じて入金金額が確定すると、一時保留部１３に保留された紙幣は、搬送路２２０ｄ、２２０ｃ及び２２０ｂを順に搬送され、再び鑑別部１２で紙幣の金種、真偽及び表裏が鑑別された後、搬送路２２０ｇを介して収納庫１１４に収納される（図１５、矢印２０４）。
【０１１９】
このように現金自動取引装置２００は、入金処理において紙幣の表裏を揃えることなく収納庫１１４に紙幣を収納する。
【０１２０】
［３−３．補充処理］
次に収納庫１１４に紙幣を補充する補充処理について説明する。制御部２１は、操作入力部２２に対する銀行員等の操作により補充する操作が選択されると、ＲＯＭから読み出した補充処理プログラムをＲＡＭに展開して実行することにより、各部（１１〜１３、１５〜１８、２２、１１４、２１９）を制御して補充処理を実行する。
【０１２１】
制御部２１は、補充時に銀行員等によって補充・回収庫１５に手詰めされた紙幣を、補充入金部１６により１枚ずつ分離されて搬送路２２０ｈ、２２０ｃ及び２２０ｂを介して搬送させる。
【０１２２】
そして制御部２１は、搬送路２００ｂにおいて鑑別部１２を通過する紙幣の金種、真偽及び表裏を該鑑別部１２で鑑別させ、搬送路２２０ｇを介して鑑別部１２で鑑別された金種に応じた収納庫１１４のいずれかに紙幣を収納させる（図１６、矢印２０５）。
【０１２３】
このように現金自動取引装置２００では、補充時に紙幣の表裏を揃えることなく収納庫１１４に紙幣を収納する。
【０１２４】
［３−４．出金処理］
次に出金処理について説明する。制御部２１は、操作入力部２２に対する顧客操作により出金する操作が選択されると、ＲＯＭから読み出した出金処理プログラムをＲＡＭに展開して実行することにより、各部（１１〜１３、１５〜１８、２２、１１４、２１９）を制御して出金処理を実行する。
【０１２５】
制御部２１は、顧客操作に応じて出金すべき紙幣が決定されると、収納庫１１４から紙幣を１枚ずつ分離して搬送路２２０ｇ及び２２０ｂを介して搬送させる。
【０１２６】
制御部２１は、搬送路２０ｂにおいて鑑別部１２を通過する紙幣の金種、真偽及び表裏を該鑑別部１２で鑑別させ、正常判別された紙幣を搬送路２２０ｅを介して表裏反転部２１９に搬送させる。
【０１２７】
表裏反転部２１９は、鑑別部１２で例えば表向きと鑑別された場合、図１７（Ａ）の矢印２０７で示すように、その紙幣の表裏を反転されることなく、そのまま搬送路２２０ｆを介して入出金口１１に集積させる。
【０１２８】
一方、表裏反転部２１９は、鑑別部１２で例えば裏向きであると鑑別された場合、図１７（Ｂ）の矢印２０７に示すように、その紙幣の表裏を反転させた後に搬送路２２０ｆを介して入出金口１１に集積させる。
【０１２９】
このように現金自動取引装置２００は、出金取引時に、表裏反転部２１９で紙幣の表裏を揃えて入出金口１１から顧客に紙幣を出金することができる。
【０１３０】
〔４．他の実施の形態〕
なお上述した実施の形態においては、第１乃至第３の実施の形態において表裏反転部１９及び２１９としてスイッチバック型の表裏反転機構を用いるようにした場合について述べたが、本発明はこれに限らず、紙幣の表裏を反転させるものであれば、例えば搬送路を進行方向に対して１８０度捻るようにして紙幣を反転させる機構など、その他種々の機構を用いるようにしてもよい。
【０１３１】
さらに上述した第１乃至第３の実施の形態では、紙葉類としての紙幣を適用したが、本発明はこれに限らず、金権、切符、葉書など種々の紙葉類を適用することができる。
【０１３２】
さらに上述した第１乃至第３の実施の形態では、紙葉類自動取引装置としての現金自動取引装置１、１００及び２００に適用したが、本発明はこれに限らず、コピー機やプリンタ、自動販売機、券売機など、種々の装置に適用することができる。
【０１３３】
さらに上述した第１乃至第３の実施の形態では、表裏反転部１９及び２１９が表向きの紙幣をそのまま搬送し、裏向きの紙幣の表裏を反転して搬送するようにした場合について述べたが、本発明はこれに限らず、表裏反転部１９及び２１９が裏向きの紙幣をそのまま搬送し、表向きの紙幣の表裏を反転して搬送するようにしてもよい。
【産業上の利用可能性】
【０１３４】
本発明は、例えば紙葉類の表裏を揃える装置で広く利用することができる。
【符号の説明】
【０１３５】
１、１００、２００……現金自動取引装置、１１……入出金口、１２……鑑別部、１３……一時保留部、１４、１１４……収納庫、１５……補充・回収庫、１６……補充入出金部、１７……リジェクト庫、１８……取忘れ保管庫、１９、２１９……表裏反転部、２０……搬送路、２１……制御部、３１……搬送路、３２……分岐部。
【図１】
0005708388.tif 000002
【図２】
0005708388.tif 000003
【図３】
0005708388.tif 000004
【図４】
0005708388.tif 000005
【図５】
0005708388.tif 000006
【図６】
0005708388.tif 000007
【図７】
0005708388.tif 000008
【図８】
0005708388.tif 000009
【図９】
0005708388.tif 000010
【図１０】
0005708388.tif 000011
【図１１】
0005708388.tif 000012
【図１２】
0005708388.tif 000013
【図１３】
0005708388.tif 000014
【図１４】
0005708388.tif 000015
【図１５】
0005708388.tif 000016
【図１６】
0005708388.tif 000017
【図１７】
0005708388.tif 000018
【図１８】
0005708388.tif 000019
【図１９】
0005708388.tif 000020